(57)【要約】  患者用ベッドを開示する。患者用ベッドは、各角に立てられた脚とその上面に装着されたマットレスとを備え、マットレスの中央を貫いて形成された排泄穴、脚に固定された補強部材、開放された上端部を有し、補強部材に固定的に設置され、内底面上から縦方向に設置されたレールを備えるケース、水平移動駆動ユニットの駆動によりレールに沿って水平に移動されるようにケースに設置された水平移動本体、前方及び後方垂直移動駆動ユニットの駆動により垂直に移動されるように水平移動本体の前方及び後方に各々設置された患者用便器および閉鎖ボックス、及び水平移動駆動ユニットと前方及び後方垂直移動駆動ユニットを制御するためのコントローラとを含む。
2005537847.tif 000002
【特許請求の範囲】
【請求項１】
各角から立てられる脚とその上面に装着されたマットレスを備える患者用ベッドであって、
マットレスの中央部を貫いて形成された排泄穴、
排泄穴の下部で脚に固定される補強部材、
開放された上端部を有し、排泄穴から指定の間隔で離されるように排泄穴の下方で補強部材上に固定的に設置され、内底面上から縦方向に設置されたレールを備えるケース、
水平移動駆動ユニットの駆動によりレールに沿って水平に移動されるようにケース内に設置された水平移動本体、
前方及び後方垂直移動駆動ユニットの駆動により垂直に移動されるように水平移動本体の前方及び後方に各々設置された患者用便器および閉鎖ボックス、および、
水平移動駆動ユニットと前方及び後方垂直移動駆動ユニットを制御するためのコントローラを含む患者用ベッド。
【請求項２】
水平移動駆動ユニットが、ケースの内部で縦方向に固定されているラック軸、および、水平移動本体に固定され、水平移動本体を前後方に移動させるように回転するようにラック軸と係合されているピニオンを有する水平移動モータとを含むことを特徴とする請求項１記載の患者用ベッド。
【請求項３】
前方垂直移動駆動ユニットは、水平移動本体の前方に垂直に立てられたフロントガイダーと、上昇及び下降するようにフロントガイダーに挿入され、患者用便器が着脱可能な、その上に設置されたフロント支持プレートを備えるフロントラック軸と、水平移動本体に固定され、フロントラック軸を上昇及び下降されるように回転されるようにフロントラック軸に係合されたフロント昇降モータとを含み、
後方垂直移動駆動ユニットは、水平移動本体の後方に垂直に立てられたリアガイダーと、上昇及び下降するようにリアガイダーに挿入され、閉鎖ボックスが装着される、その上に設置されたリア支持プレートを備えているリアラック軸と、水平移動本体に固定され、リアラック軸を上昇及び下降されるように回転されるようにリアラック軸に係合されたリア昇降モータを含むことを特徴とする請求項１または２記載患者用ベッド。
【請求項４】
患者用便器が揺れるのを防止するための突起部が、フロント支持プレートの上面に形成され、
突起部に対応する連結溝が患者用便器の外側底面に形成されることを特徴とする請求項３記載の患者用ベッド。 
【請求項５】
患者用便器がフロント支持プレートに連結される時、患者用便器の移動範囲を制限するために、隆起部が突起部の両端部に各々備えられることを特徴とする請求項４記載の患者用ベッド。
【請求項６】
さらにカバー手段を含む患者用ベッドであって、
該カバー手段は、
ケースの前方端部に設置された垂直ブロック、及び水平移動本体の前方端部の両側に各々設置され、そこから突出するローラを各々備えるローラブロックを含むカバー支持ユニットと、
カバーの下面に形成された前方横方向溝が、垂直ブロックの上端部内に挿入され、カバーの下面の両側がローラブロックにより支持されているカバーと、
水平移動本体の水平駆動によりカバーの両側を收容するために患者用便器の上部端部面の両側部に形成された溝とを含む請求項３記載の患者用ベッド。
【請求項７】
タップホールがケースの下面の角に形成され、
タップホールに対応するＨ形状のスルーホールが、補強部材を貫いて形成され、補強部材上に装着されたケースの位置が変更できることを特徴とする請求項３記載の患者用ベッド。
【請求項８】
コントローラがリモコン装置から出力された操作信号を受信する受信部を含み、受信部を介して入力されたリモコン装置の操作信号に基づき水平移動モータ及び前方および後方昇降モータの作動を制御することを特徴とする請求項３記載の患者用ベッド。 
【請求項９】
マットレスは排泄穴を備える前方マットレス及び後方マットレスを含み、
前方マットレスの後端部の上部面は、後方マットレスの前端部の上面に連結されることを特徴とする請求項３記載の患者用ベッド。 
【請求項１０】
前方マットレスはベルクロテープにより後端部及び排泄穴の回りに着脱可能に連結される上部シートを更に含むことを特徴とする請求項９記載の患者用ベッド。 
【発明の詳細な説明】
【技術分野】
【０００１】
本発明は患者用ベッドに関するものであって、より詳細にはベッドで生活する身体的に体の不自由な人又は患者が便利に排便できるようにし、補助する人に利便性を提供することができる患者用ベッドに関するものである。
【背景技術】
【０００２】
一般的に、図１２に示すように、患者用ベッド（１００）は、ベッドフレーム（１１０）、保護フレームが上下するようにベッドフレーム（１１０）の両端部に設置された保護フレーム（図示せず）、患者がそこに寝れるように保護フレーム上に敷かれたマットレス（１２０）及びヒンジ（１３０）を軸として回転するように保護フレームの指定された位置に固定されたヒンジ（１３０）に連結されたテーブル（１４０）より成る。マットレス（１２０）の上端部もしくは下端部を立てるためのマットレス調節レバー（図示せず）がベットの下部に設置されている。
【０００３】
上述の従来の患者用ベッド（１００）を使用する患者が自分自身を運ぶことができる場合には、患者はトイレに行くことができる。しかし、脊髄を傷つけた又は重重い病気の患者のような身体的に体の不自由な人が従来の患者用ベッド（１００）を使用する場合には、患者は制限された範囲しか移動できないので、トイレに行くことができない。従って、排便するために、従来のベッド（１００）上で不便な姿勢、または寝た姿勢の状態にある患者が補助する人の助けを受けて別途に用意された患者用便器を使用する。
【０００４】
又、体の不自由な患者が、ベッド上で排便しなければならない場合、体の不自由な患者のみならず補助する人も、患者用便器を体の不自由な患者の適切な位置に合わせるのに苦労する。
【発明の開示】
【発明が解決しようとする課題】
【０００５】
従って、本発明はの問題点を鑑みて導出され、簡単な操作で、ベッドで生活する身体的に体の不自由な人の動きを最小化し、身体的に体の不自由な人が容易に排便することができる患者用ベッドを提供することが本発明の目的である。
【０００６】
本発明の更に他の目的は、ベッドで生活する身体的に体の不自由な人が排便するのを、補助する人が簡単で容易に手助けでき、補助する人に利便性を提供する患者用ベッドを提供することである。
【課題を解決するための手段】
【０００７】
本発明により、のような目的及びその他の目的は、各角から立てられる脚と、その上面に敷かれるマットレスとを備える患者用ベッドを提供することによって達成され、該患者用ベッドは、マットレスの中央を貫いて垂直に形成された排泄穴、排泄穴の下部で脚に固定される補強部材、開放された上端部を有し、排泄穴から指定距離だけ離隔されるように、排泄穴の下方で補強部材上に固定的に設置され、ケースの内底面上で縦方向に設置されたレールを備えるケース、水平移動駆動ユニットの駆動によりレールに沿って水平に移動されるようにケース内に設置された水平移動本体、前方及び後方垂直移動駆動ユニットの駆動により垂直に移動されるように水平移動本体の前方及び後方に各々設置された患者用便器および閉鎖ボックス、及び水平移動駆動ユニットと前方及び後方垂直移動駆動ユニットを制御するためのコントローラから成る。
【０００８】
本発明の患者用ベッドは、身体的に体の不自由な人又は重い病気の人のような患者の簡単な操作で、使用目的に応じて作動される。例えば、排せつモードでは患者用便器が排泄穴に入れられ、通常モードでは閉鎖ボックスが排泄穴に入れられ、患者がベッドの上に寝ている状態で容易に排せつできるようにする。
【０００９】
さらに、閉鎖ボックス又は患者用便器がマットレスの中央に形成された排泄穴に入れられるように垂直に移動されるので、本発明の患者用ベッドは、そこに寝ている患者が無理な移動なしで便利に排せつできるようにし、補助する人は患者が排せつできるように便利で容易に助けることができるようにする。
【００１０】
本発明の及び他の目的、特徴および利点は、添付の図を参照して以下の詳細な説明によって、よりはっきりと理解できるであろう。
【発明を実施するための最良の形態】
【００１１】
これから添付された図面を参照して本発明の好ましい実施形態をより具体的に説明する。
【００１２】
図１は本発明の一実施形態による患者用ベッド（１０）の概略斜視図である。図２は図１に示す患者用ベッド（１０）の側面図である。以下に、本発明の一実施形態による患者用ベッド１０の構成を説明する。
【００１３】
図１及び図２に示すように、患者用ベッド（１０）は、各角から立てられる４本の脚と、ベッドフレームの上面に載せられ、中央部を貫いて排泄穴（１３）が垂直に形成されたマットレス（１）と、ベッドフレームの脚に固定される補強部材（２）と、排泄穴（１３）から一定間隔で離され、補強部材（２）の上面に固定されるケース（３）と、ケース（３）内の水平移動駆動ユニット（図示せず）を介してケース（３）の内底面の両端部で縦方向に設置されたレール（図示せず）に沿って排泄穴（１３）に対して水平に移動され、ケース（３）内の前方および後方垂直移動駆動ユニット（図示せず）を介して排泄穴（１３）へ垂直移動される患者用便器（７）と閉鎖ボックス（８）を備える水平移動本体（４）と、水平移動本体（４）の水平移動駆動ユニット及び前方及び後方垂直移動駆動ユニットを制御するコントローラ（図示せず）を備える。
【００１４】
すなわち、本発明の実施形態の患者用ベッドにおいて、ケース（３）内に患者用便器（７）及び閉鎖ボックス（８）を備えた水平移動本体（４）は水平移動駆動ユニットの駆動により排泄穴（１３）の前後に移動され、患者用便器（７）又は閉鎖ボックス（８）は使用目的に基づいて前方及び後方水平移動駆動ユニットの駆動により排泄穴（１３）に入れられる。続いて、患者用便器（７）は両側でケース（３）から話される。
【００１５】
例えば、患者用ベッド（１０）の通常モードでは、水平移動本体（４）の後方に設置された閉鎖ボックス（８）が後方垂直移動駆動ユニットにより排泄穴（１３）に入れられ、マットレス（１）に形成された排泄穴（１３）は閉鎖ボックス（８）により閉じられる。一方、患者用ベッド（１０）の排泄モードでは、排泄穴（１３）の前方に位置された患者用便器（７）は水平移動駆動ユニットにより排泄穴（１３）に向かって移動され、続いて前方垂直移動駆動ユニットにより排泄穴（１３）内へ入れられる。
【００１６】
以下では、図３乃至図６を参照して、本発明の一実施形態による患者用ベッドの構成を詳細に説明する。
【００１７】
図３は本発明の一実施形態による患者用ベッドのケース（３）の概略斜視図である。図４は図１に示されたケース（３）の設置状態を描いた概略図である。図５は図４に示された水平移動本体（４）の内部構造を描いた概略図である。図６は図５の分解斜視図である。
【００１８】
図３に示したように、本発明の実施形態による患者用ベッドのケース（３）は開放された上面、及び水平移動本体（４）を排泄穴（１３）に向かって移動させるための、ケース（３）の内底面の両端部で縦方向に設置されたレール（図５の３１）を含む。従って、水平移動本体（４）はケース（３）のレール（３１）に沿って排泄穴（１３）の下部で水平に移動される。このような実施形態では、好ましくは、ケース（３）は水平移動本体（４）の移動により発生される騒音を最小化するためプラスチックから製造される。
【００１９】
図４に示すように、ケース（３）は排泄穴（１３）の下方で補強部材（２）の上面に固定される。すなわち、ケース（３）の下面の角にはタップホール（３２）が形成され、補強部材（２）にはタップホール（３２）と対応るＨ形状のスルーホール（２１）が形成される。タップホール（３２）をボルト（２２）により貫通ホール（２１）に連結することで、ケース（３）は補強部材（２）に固定される。
【００２０】
これにより、ケース（３）が排泄穴（１３）に対応するように、ケース（３）は補強部材（２）の指定位置に固定される。従って、シートの入れ替えにより排泄穴（１３）の位置即ち、マットレスの位置が変更されるとしても、ケース（３）の位置は調整して排泄穴（１３）の位置に合わせることができる。
【００２１】
図５及び図６に示されたように、水平移動本体（４）は内部空間を上部及び下部空間に分割する仕切り板（４６）を備える。仕切り板（４６）の上面には水平移動駆動ユニット（４１）、及び患者用便器（７）と閉鎖ボックス（８）を排泄穴（１３）に対して上下させる前方及び後方垂直駆動ユニット（４２及び４４）が設置されている。水平移動本体（４）の外側面の両端部の所定の位置には、レール（３１）に対応してローラ（図示せず）が設置されており、それによって水平移動駆動ユニット（４１）により水平移動本体（４）をレール（３１）に沿って移動させることができる。
【００２２】
好ましくは、水平移動本体（４）は水平移動本体（４）内に異物質が導入されることを防止するカバー（６）を更に含む。
【００２３】
水平移動駆動ユニット（４１）は、ケース（３）の内側に固定されているラック軸（４１１）と、水平移動本体（４）に固定され水平移動本体（４）を前後に移動させるように回転されるラック軸（４１１）と係合されているピニオン（４１２）を有する水平移動モータ（４１３）とを含んでいる。
【００２４】
即ち、ラック軸（４１１）の一側面は、ケース（３）の一側面に固定されていて、ラック軸（４１１）係合されている回転されるピニオン（４１２）は、水平移動モータ（４１３）によりラック軸（４１１）上で前後に移動される。それにより、水平移動本体（４）がレール（３１）に沿って排泄穴（１３）にまたはそこから移動するようになる。
【００２５】
患者用便器（７）は垂直移動駆動ユニット（４２）上に設置される。垂直移動駆動ユニット（４２）は、水平移動本体（４）の前方に垂直に立てられたフロントガイダー（４２１）と、上昇、下降されるようにフロントガイダー（４２１）に挿入され、フロントラック軸（４２２）に設置され患者用便器（７）が取り外されるフロント支持プレート（４３）を備えるフロントラック軸（４２２）と、水平移動本体（４）に固定されフロントラック軸（４２２）を上昇および下降させるように回転されるフロントラック軸（４２２）と係合されているフロント昇降モータ（４２５）とを含む。
【００２６】
これにより、上昇及び下降するように水平移動本体（４）の下面に垂直に固定されているフロントガイダー（４２１）に挿入されたフロントラック軸（４２２）は、フロント昇降モータ（４２５）により回転されたフロントピニオン（４２４）と係合されてフロントガイダー（４２１）に沿って揺れることなく安全に上昇および下降され、患者用便器（７）を排泄穴（１３）に入れる／排泄穴（１３）から分離させる。
【００２７】
本発明のこのような実施形態において、フロントラック軸（４２２）の上面に、フロント支持プレート（４３）を支持する補助支持プレート（４２３）が装着されている。しかし、補助支持プレート（４２３）は必ず必要なものでなく、省略が可能である。
【００２８】
好ましくは、フロント支持プレート（４３）の上面に、患者用便器（７）の振動を防止するための突起部（４３１）を備えられている。ケース（３）が患者用ベッド（１０）の下部空間に装着されているので、外部の衝撃又は患者の動きによりフロント支持プレート（４３）の上に載置されている患者用便器（７）が揺れることを突起部（４３１）が防止できる。好ましくは、本発明の本実施形態において、患者用便器（７）の外側底面にはフロント支持プレート（４３）の突起部（４３１）に対応する連結溝（７１）が形成されている。
【００２９】
更に好ましくは、フロント支持プレート（４３）に患者用便器（７）を結合する時、患者用便器（７）の移動範囲を制限するために、各突起部（４３１）の一端に隆起部（４３２）を追加的に備える。患者用便器（７）を洗いフロント支持プレート（４３）に再結合する場合、患者用便器（７）の移動範囲を制限するための隆起部（４３２）を使用することにより、排泄穴（１３）の位置に患者用便器（７）を容易に一致させることができる。
【００３０】
閉鎖ボックス（８）は後方垂直移動駆動ユニット（４４）に装着される。後方垂直移動駆動ユニット（４４）は、水平移動本体（４）の後方に垂直に備えられるリアガイダー（４４１）と、上昇及び下降されるようにリアガイダー（４４１）に挿入され、閉鎖ボックス（８）が装着されるリア支持プレート（４５）を備えるリアラック軸（４４２）と、水平移動本体（４）に固定されリアラック軸（４４２）が上昇及び下降するように回転されるためのリアラック軸（４４２）と係合されているリア昇降モータ（４４５）とを含む。
【００３１】
好ましくは、閉鎖ボックス（８）はリアラック軸（４４２）の上部に装着されたリア支持プレート（４５）の上に通常の結合手段、例えば、ボルトや接着剤などで固定される。リアラック軸（４４２）の上面にはリア支持プレート（４５）を支持する補助支持プレート（４４３）が設置されている。しかし、補助支持プレート（４４３）は必ず必要ではなく、省略することもできる。
【００３２】
後方垂直移動駆動ユニット（４４）において、上昇及び下降するように水平移動本体（４）の下面に垂直に固定されているリアガイダー（４４１）に挿入されたリアラック軸（４４２）は、リア昇降モータ（４４５）により回転されたリアピニオン（４４４）と係合されてリアガイダー（４４１）に沿って揺れることなく安全に上昇および下降され、閉鎖ボックス（８）を排泄穴（１３）に入れる／排泄穴（１３）から分離させる。
【００３３】
前後方垂直移動駆動ユニット（４２、４４）によりそこを通ってフロントおよびリアラック軸（４２２及び４４２）が上昇及び下降できるようにするスルーホール（６１）が、水平移動本体（４）内部へ異物が入り込むことを防止するためのカバー（６）を通して形成される。更に好ましくは、スルーホール（６１）の回りにガイダー（６２）が形成される。ガイダー（６２）は補助支持プレート（４２３および４４３）を備えたフロント及びリアラック軸（４２２及び４４２）を保護し、フロント及びリアラック軸（４２２及び４４２）が前後方垂直移動駆動ユニット（４２及び４４）の駆動により上昇及び下降する時に外部衝撃などにより揺れることなく垂直に移動できるようにする。
【００３４】
水平移動本体（４）がカバー（６）により閉じられる場合には、カバー（６）の内側面が水平移動本体（４）の外側上部と結合され、フロント及びリア支持プレート（４３及び４５）が、カバー（６）のスルーホール（６１）から突出されたフロント及びリアラック軸（４２２及び４４２）の上面に各々固定され、患者用便器（７）がフロント支持プレート（４３）の上面に結合され、閉鎖ボックス（８）がリア支持プレート（４５）に結合される。
【００３５】
上述のように、本発明の患者用ベッド（１０）の水平移動本体（４）は、水平移動駆動ユニット（４１）の駆動によりケース（３）内でレール（３１）に沿って前後に移動され、患者用便器（７）又は閉鎖ボックス（８）は前後方垂直移動駆動ユニット（４２、４４）の駆動により排泄穴（１３）に入れられる／排泄穴（１３）から取り外される。
【００３６】
コントローラ（５）は使用者のボタンの操作により水平移動駆動ユニット（４１）と前方及び後方垂直移動駆動ユニット（４２及び４４）を制御する。即ち、コントローラ（５）は使用者のボタンの操作により水平移動駆動ユニット（４１）及び前方及び後方垂直移動駆動ユニット（４２及び４４）の駆動モータを制御する。
【００３７】
例えば、排泄穴（１３）に閉鎖ボックスが入っている状態で患者が排便したい場合、コントローラ（５）は後方垂直移動駆動ユニット（４４）のリア昇降モータ（４４５）を制御して閉鎖ボックス（８）を排泄穴（１３）から引き離し、排泄穴（１３）位置の下方に患者用便器（７）が位置されるように水平移動本体（４）を後方に移動させるため水平移動駆動ユニット（４１）の水平移動モータ（４１３）を制御し、排泄穴（１３）の下部に位置した患者用便器（７）が排泄穴（１３）に入れられるように前方垂直移動駆動ユニット（４４）のフロント昇降モータ（４２５）を制御するようになる。
【００３８】
このように各駆動ユニットを制御するためのコントローラ（５）はボタン操作に限定されなく、リモコン装置によってなされるてもよい。
【００３９】
即ち、コントローラ（５）は、リモコン装置から出力された操作信号を受信するための受信装置（５１）を含み、受信装置（５１）を通じて入力されたリモコン装置の操作信号に基づき水平移動モータ（４１３）及びフロント及びリア昇降モータ（４２５及び４４５）の駆動を制御する。
【００４０】
以下では、図７ａ及び図７ｂを参照して、本発明の一実施形態による患者用ベッドの作動を説明する。
【００４１】
通常状態において、閉鎖ボックス（８）が排泄穴（１３）内に入っている患者用ベッドは、通常のベッドとして使用される。患者用ベッドの上に寝ている体の不自由な人が排便したい場合、体の不自由な人は上述のようにリモコン装置の操作ボタン又はスタートボタンを押す。それにより、閉鎖ボックス（８）を備えた後方垂直移動駆動ユニット（図示せず）が下降され、図７ａに示されたように閉鎖ボックス（８）は排泄穴（１３）から離されて水平移動本体（４）まで下降される。
【００４２】
下降された閉鎖ボックス（８）を備える水平移動本体（４）は、水平移動駆動ユニット（図示せず）の駆動によりケース（３）の内部に設置されたレール（３１）に沿って後方に移動され、そして、図７ｂに示されたように、排泄穴（１３）に対応する患者用便器（７）の位置で停止される。続いて、患者用便器（７）を備えた前方垂直移動駆動ユニット（図示せず）が上昇され、便器（７）が排泄穴（１３）内に入る。
【００４３】
患者用便器（７）が排泄穴（１３）内に入り、体の不自由な人が排便を終わらせた後、上記プロセスが反対に実施され閉鎖ボックス（８）が排泄穴（１３）内に入る。補助する人は上記プロセスにより回収された患者用便器を患者用ベッドの側面から分離させ、便器を洗い、続いて再使用のため患者用便器を元の位置に戻す。
【００４４】
本発明の患者用ベッドは患者の排泄物を含む患者用便器（７）の開放を防止するカバー手段を更に含む。
【００４５】
即ち、図８及び図９に示されたように、カバー手段（９）は患者用便器（７）に連結されたカバー（９２）、カバー（９２）を支持するカバー支持ユニット（９１）、及びカバー（９２）を收容するため患者用便器に形成された溝（９３）を含む。
【００４６】
カバー支持ユニット（９１）はケース（３）の前方端部に設置された垂直ブロック（９１１）、及び水平移動本体（４）の前方端部の両側部に各々設置され、ローラ（９１３）を各々備えるローラブロック（９１２）を含む。
【００４７】
垂直ブロック（９１１）の上端部はカバー（９２）の下面内に形成された前方横断溝（９２１）内に挿入され、カバー（９２）の下面の両側はローラブロック（９１２）により支持される。ここで、好ましくは、ローラブロック（９１２）のローラ（９１３）を案内するためのガイド溝が、カバー（９２）の下面の両側に各々形成され、カバー（９２）が患者用便器（７）に向かってより簡単にスライドする。好ましく、患者用便器（７）の溝（９３）内に簡単にカバー（９２）を挿入することができるように、カバー（９２）の後方端部の両端面が丸くされる。
【００４８】
溝（９３）が患者用便器（７）の上端部面の両側に形成され、カバー（９２）の両側を案内する役割をする。
【００４９】
患者が患者用便器を用いて排便を完了した後、患者用便器が閉鎖ボックスと入れ替わる場合、水平移動本体が前方に移動し、カバー（９２）は患者用便器の溝（９３）内に水平挿入され、それにより患者用便器の開口部を密封するようになる。図９に示されたように、カバー（９２）が連結された患者用便器は患者用ベッドから分離される。
【００５０】
即ち、カバー（９２）の前方に形成された前方横断溝（９２１）は、垂直ブロック（９１１）に固定され、カバー（９２）はローラブロック（９１２）により水平支持される。それにより、水平移動本体はレールに沿って前方に移動され、それによりカバー（９２）の両側は患者用便器の溝（９３）内に挿入される。さらに、患者用便器内に挿入されたカバー（９２）の横断溝（９２１）は垂直ブロック（９１１）から分離され、それによりカバー（９２）で閉鎖された便器を患者用ベッドから分離する。
【００５１】
従って、本発明の患者用ベッドにおいて、排泄物を含む患者用便器はカバー手段により閉じられ、それにより排泄物から臭い広がることを防止する。さらに、カバー手段で閉じられた患者用便器が患者用ベッドから分離され、それにより補助する人が便利でまた衛生的に便器を運搬することができるようにする。
【００５２】
以下に、図１０ａ及び１０ｂを参照して、カバー手段（９）の作動をより詳細に設明する。
【００５３】
患者用ベッドで寝ている体の不自由な人が排便したい時に、体の不自由な人は上述のようにリモコン装置の操作ボタン又はスタートボタンを押す。それにより、閉鎖ボックス（８）は排泄穴（１３）から離れて下降される。続いて、閉鎖ボックス（８）が下降された水平移動本体（４）は、水平移動駆動ユニット（図示せず）の駆動によりケース（３）の内底面上に備えられたレールに沿って後方に移動される。
【００５４】
図１０ａに示されたように、ケース（３）の垂直ブロック（９１１）に固定された前方端部を有するカバー（９２）はローラブロック（９１２）により支持され、水平移動本体（４）の後方移動により患者用便器（７）から水平に離される。患者用便器（７）が排泄穴（１３）の下に位置される時、カバー（９２）が患者用便器（７）から完全に分離され、患者用便器が開放される。
【００５５】
患者用便器（７）の代わりに閉鎖ボックス（８）が排泄穴（１３）に入る場合、水平移動本体（４）は水平移動駆動ユニットの駆動により前方に移動される。ここで、図１０ｂに示すように、カバー（９２）は水平移動本体（４）の前方移動により水平移動本体（４）の前方に備えられたローラブロック（９１２）により水平状態に維持される。それにより、垂直ブロック（９１１）の前方端部の一方が固定されたカバー（９２）の後方部は患者用便器（７）の溝（９３）内に挿入され、閉鎖ボックス（８）が排泄穴（１３）の下方に位置される時、患者用便器（７）はカバー（９２）により完全に閉じられる。
【００５６】
本発明のこの実施形態による患者用ベッドのマットレス（１）において、従来の患者用ベッドに使用されるマットレスと同様に背部の角度が調節することができる。図１１に示すように、マットレス（１）は排泄穴（１３）を備える前方マットレス（１）と後方マットレス（２）に分けられる。前方マットレス（１１）の後端部（１１１）の上面は後方マットレス（１２）の前端部（１２１）の上面に連結される。詳しくは、前方マットレス（１１）は後端部（１１１）と排泄穴（１３）の回りに通常のベルクロテープ（１１２）により着脱可能に連結される上部シート（１１３）を含む。
【００５７】
従って、マットレス（１）の背部としての役目をする後方マットレス（１２）が前方マットレス（１１）から所定の角度で立てられても、排泄穴（１３）を備えた前方マットレス（１１）は依然として寝ている。
【００５８】
上述のように、本発明の患者用ベッド（１０）は、分離された前方及び後方マットレス（１１及び１２）を含み、それにより背部の役目をする後方マットレス（１２）が前方マットレス（１１）から立てられた時、前方マットレス（１１）に装着された上部シート（１１３）が後方に移動されることを防止することができる。即ち、前方マットレス（１１）の上部シート（１１３）の移動のため、また前方マットレス（１１）が後方マットレス（１２）から所定の角度で立てられることで排泄穴（１３）が塞がれることを防止することができ、患者が楽な姿勢で排便ができるようにする。
【００５９】
さらに、上部シート（１１３）は前方マットレス（１１）の排泄穴（１３）と後方端部（１１１）の回りに着脱可能に連結されたベルクロテープ（１１２）を備え、それにより新しいのと簡単に入れ替えることができる。上部シート（１１３）と前方マットレス（１１）との間の連結手段はベルクロテープに限定されなく、ジッパーを用いることもできる。
【産業上の利用可能性】
【００６０】
上述の説明から解るように、本発明は、簡単な操作で、閉鎖ボックスおよび患者用便器が交代でマットレスを貫通して形成されている排泄穴に入りそして排泄穴から離され、それによって、そこで寝ている身体的に不自由な人が過度の動きをせずに簡単に排便できるようにし、排便後、閉鎖ボックスで閉鎖ボックスで排泄穴を閉じることにより、体の不自由な人に衛生的な環境を提供する、患者用ベッドを提供する。
【００６１】
さらに、本発明の患者用ベッドは、排泄穴の下で前後に移動する患者用便器を、補助する人が、体の不自由な人の排便後に排泄穴から分離できるようにし、それによって、追加の患者用便器を全く必要とせず、補助する人が簡単で容易に体の不自由な人の排便を助けることができるようにする。
【００６２】
本発明の患者用ベッドは、患者用便器が設置されたフロント支持プレートの上面に形成された突起部を含み、それにより、患者用便器が外部の衝撃や患者の動きによって揺れるのを防ぐ。さらに、本発明の患者用ベッドは、各突起部の一端部に形成された隆起部を含み、それにより、便器が洗われフロント支持プレートに再結合される時、患者用便器を排泄穴の位置に正確に合わせることができる。
【００６３】
本発明の患者用ベッドは、患者の排泄物を含む患者用便器を覆うためのカバー手段を含んでおり、それによって、排泄物から臭いが広がることを防止する。さらに、患者用便器はカバー手段で閉じられるので、患者用ベッドは補助する人が便利で又衛生的に便器をベッドから分離して運搬することができようにする。
【００６４】
本発明の患者用ベッドは前方及び後方マットレスを含んでいるマットレスを含む。従って、マットレスの背部の役目をする後方マットレスが前方マットレスから所定の角度で立てられても、排泄穴を備えた前方マットレスは依然として寝ており、それにより患者が楽な姿勢で排便することができる。
【００６５】
本発明の好ましい実施形態を例示を目的として説明してきたが、当業者であれば、添付の請求項に開示されているように本発明の範囲と精神から逸脱することなく、多様な変更、追加及び置換えが可能なことは明白である。
【図面の簡単な説明】
【００６６】
【図１】本発明の一実施形態による患者用ベッドの概略斜視図。
【図２】図１に示された患者用ベッドの側面図。
【図３】本発明の一実施形態による患者用ベッドのケースの概略斜視図。
【図４】図１に示されたケースの設置状態を示した概略図。
【図５】図４に示された水平移動本体の内部構造を示した概略図。
【図６】図５に示された本体の分解斜視図。
【図７】図７ａおよび図７ｂは、本発明の患者用ベッドの作動状態を描いた図であり、より具体的には、図７ａは通常状態の患者用ベッドを描き、図７ｂは排せつの状態の患者用ベッドを描いた図。
【図８】本発明の患者用ベッドの患者用便器カバー手段を描いた概略斜視図。
【図９】図９は図８の分解斜視図。
【図１０】図１０ａ及び図１０ｂは、図８に示された患者用便器カバー手段の作動を描いた図であり、より具体的には、図１０ａは閉じた状態の患者用便器を描き、図１０ｂは開いた状態の患者用便器を描いた図である。
【図１１】本発明の患者用ベッドのマットレス分解斜視図。
【図１２】従来の患者用ベッドの斜視図。
【図１】
2005537847.tif 000003
【図２】
2005537847.tif 000004
【図３】
2005537847.tif 000005
【図４】
2005537847.tif 000006
【図５】
2005537847.tif 000007
【図６】
2005537847.tif 000008
【図７】
2005537847.tif 000009
【図８】
2005537847.tif 000010
【図９】
2005537847.tif 000011
【図１０】
2005537847.tif 000012
【図１１】
2005537847.tif 000013
【図１２】
2005537847.tif 000014
【図１３】
2005537847.tif 000015
【図１４】
2005537847.tif 000016
【国際調査報告】
2005537847.tif 000017
2005537847.tif 000018